(57)【要約】【課題】動作パラメータを変更する制御を行った際に受信信号に発生する誤りが時間的に集中しにくく、復調した信号から取得される情報の信頼性が高い。【解決手段】復調装置に含まれる回路部品群に係る動作パラメータが変更される場合に、受信信号Ｓｉに誤りが発生する場合がある（誤り８１ａ、８２ａ、８１ｂ、８２ｂ）。２つの回路部品群に係る動作パラメータの変更タイミングを、これらの変更によって誤りが発生する範囲がデインターリーブ処理後の受信信号Ｓｄにおいて重ならないように（曲線９２ｂ）決定する。これによって、誤りが発生する範囲が重なる（期間Ｐ０）場合と比べて誤りが時間的に集中するのが回避される。【選択図】図６
2007142919.tif 000002
【特許請求の範囲】
【請求項１】
インターリーブ処理が施された受信信号に選局処理を施すチューナと、前記チューナからの受信信号に復調処理を施す復調器とを構成する複数の回路部品群と、
インターリーブ処理が施された前記チューナからの受信信号にデインターリーブ処理を施すデインターリーブ手段と、
前記複数の回路部品群のうちの少なくともいずれか１つの動作パラメータを変更する動作パラメータ変更手段と、
前記複数の回路部品群のうち前記動作パラメータ変更手段によって動作パラメータが変更される第１及び第２の回路部品群、前記第１及び第２の回路部品群に係る第１及び第２の動作パラメータの変更量並びに前記第１及び第２の回路部品群に係る動作パラメータの第１及び第２の動作パラメータの変更タイミングを、前記第１及び第２の動作パラメータの変更タイミングで前記第１及び第２の回路部品群に係る動作パラメータを変更することによって受信信号に誤りが発生した場合に当該誤りが占めることになるそれぞれの範囲が前記デインターリーブ手段によるデインターリーブ処理後の受信信号において互いに重なり合わないように決定する第１の変更決定手段と、
前記第１の変更決定手段が決定した前記第１及び第２の動作パラメータの変更タイミングで前記第１の変更決定手段が決定した前記第１及び第２の動作パラメータの変更量だけ前記第１の変更決定手段が決定した前記第１及び第２の回路部品群の動作パラメータをそれぞれ変更するように、前記動作パラメータ変更手段を制御するパラメータ変更制御手段とを備えていることを特徴とするデジタル復調装置。
【請求項２】
前記デインターリーブ手段が施すデインターリーブ処理が時間デインターリーブ処理であり、
前記第１の変更決定手段が、
前記第１の回路部品群の動作パラメータを前記第１の動作パラメータの変更量だけ前記動作パラメータ変更手段が変更してから時間インターリーブ長以上の時間が経過した後で前記第２の回路部品群の動作パラメータを前記第２の動作パラメータの変更量だけ前記動作パラメータ変更手段が変更するように、前記第１及び第２の動作パラメータの変更タイミングを決定することを特徴とする請求項１に記載のデジタル復調装置。
【請求項３】
前記第１の変更決定手段が前記チューナ内に構築されており、
前記チューナが、有効シンボル長に係る情報を含む時間インターリーブ長に係る情報を前記復調器から受け取ることを特徴とする請求項２に記載のデジタル復調装置。
【請求項４】
前記第１の変更決定手段が、
前記第１の動作パラメータの変更タイミングよりも前記第２の動作パラメータの変更タイミングが時間的に前となり、且つ、前記第１の回路部品群に係る動作パラメータを変更することによって受信信号に含まれることになる誤りの総量が前記第２の回路部品群に係る動作パラメータの変更によって減少するように、前記第１及び第２の回路部品群、動作パラメータの変更量及び動作パラメータの変更タイミングを決定することを特徴とする請求項１〜３のいずれか１項に記載のデジタル復調装置。
【請求項５】
前記第１の変更決定手段が、
前記第２の回路部品群の動作パラメータを前記第１の動作パラメータの変更量だけ前記動作パラメータ変更手段が変更した後における前記第１の回路部品群の消費電力が、前記第１の回路部品群の動作パラメータを前記第１の動作パラメータの変更量だけ前記動作パラメータ変更手段が変更する前と比べて低下するように、前記第１の回路部品群、動作パラメータの変更量及び動作パラメータの変更タイミングを決定することを特徴とする請求項１〜４のいずれか１項に記載のデジタル復調装置。
【請求項６】
前記第１の変更決定手段が、
前記第１の回路部品群の動作パラメータを前記第１の動作パラメータの変更量だけ前記動作パラメータ変更手段が変更することによって発生する誤りが受信信号に占める範囲が、前記デインターリーブ手段が施すデインターリーブ処理前において受信信号に含まれる１つのシンボル内に収まるように、前記第１の回路部品群、動作パラメータの変更量及び動作パラメータの変更タイミングを決定することを特徴とする請求項１〜５のいずれか１項に記載のデジタル復調装置。
【請求項７】
前記第１の変更決定手段が、受信信号に含まれるシンボルの先端で前記第１の回路部品群の動作パラメータを前記動作パラメータ変更手段が変更するように前記第１の動作パラメータの変更タイミングを決定することを特徴とする請求項１〜６のいずれか１項に記載のデジタル復調装置。
【請求項８】
前記第１の変更決定手段が前記チューナ内に構築されており、
前記復調器が、受信信号に含まれるシンボルの同期を取得するシンボル同期取得手段を有しており、
前記チューナが、前記シンボル同期取得手段が取得したシンボルの同期に係る情報を前記復調器から受け取ることを特徴とする請求項６又は７に記載のデジタル復調装置。
【請求項９】
前記チューナが、回路部品群から構成されるＲＦアンプ、ミキサ、フィルタ、ＩＦアンプ及びＶＣＯ・ＰＬＬを有しており、
前記第１の変更決定手段が決定する前記第１又は第２の回路部品群が、ＲＦアンプ、ミキサ、フィルタ、ＩＦアンプ及びＶＣＯ・ＰＬＬのうちのいずれかを構成する回路部品群であることを特徴とする請求項１〜８のいずれか１項に記載のデジタル復調装置。
【請求項１０】
前記第１の変更決定手段が、前記第２の回路部品群の動作パラメータを前記第２の動作パラメータの変更量だけ前記動作パラメータ変更手段が変更することによって前記ＲＦアンプ、ミキサ、フィルタ、ＩＦアンプ及びＶＣＯ・ＰＬＬのいずれかの歪特性が向上するように、前記第２の回路部品群、動作パラメータの変更量及び動作パラメータの変更タイミングを決定することを特徴とする請求項９に記載のデジタル復調装置。
【請求項１１】
前記第１の変更決定手段が、前記第２の回路部品群の動作パラメータを前記第２の動作パラメータの変更量だけ前記動作パラメータ変更手段が変更することによって前記ＲＦアンプ、ミキサ、フィルタ、ＩＦアンプ及びＶＣＯ・ＰＬＬのいずれかの回路部品群のノイズ発生が減少するように、前記第２の回路部品群、動作パラメータの変更量及び動作パラメータの変更タイミングを決定することを特徴とする請求項９に記載のデジタル復調装置。
【請求項１２】
前記第１の変更決定手段が、前記第２の回路部品群の動作パラメータを前記第２の動作パラメータの変更量だけ前記動作パラメータ変更手段が変更することによって前記ＲＦアンプ及びＩＦアンプのいずれかのゲインが増すように、前記第２の回路部品群、動作パラメータの変更量及び動作パラメータの変更タイミングを決定することを特徴とする請求項９に記載のデジタル復調装置。
【請求項１３】
前記第１の変更決定手段が、前記第２の回路部品群の動作パラメータを前記第２の動作パラメータの変更量だけ前記動作パラメータ変更手段が変更することによって前記ＶＣＯ・ＰＬＬが形成するミキシング信号の周波数が安定するように、前記第２の回路部品群、動作パラメータの変更量及び動作パラメータの変更タイミングを決定することを特徴とする請求項９に記載のデジタル復調装置。
【請求項１４】
前記第２の回路部品群の動作パラメータが、前記第２の回路部品群に供給される電力であることを特徴とする請求項１０乃至１３に記載のデジタル復調装置。
【請求項１５】
前記第１の変更決定手段が決定する前記第１の回路部品群に含まれる回路部品の数が、前記第１の変更決定手段が決定する前記第２の回路部品群に含まれる回路部品の数と異なることを特徴とする請求項１〜１４のいずれか１項に記載のデジタル復調装置。
【請求項１６】
前記複数の回路部品群のうち前記動作パラメータ変更手段によって動作パラメータが変更される第３の回路部品群、前記第３の回路部品群に係る第３の動作パラメータの変更量及び前記第３の回路部品群に係る第３の動作パラメータの変更タイミングを、
前記第１及び第３の動作パラメータの変更タイミングで前記第１及び第３の回路部品群に係る動作パラメータを変更することによって受信信号に誤りが発生した場合に当該誤りが占めることになるそれぞれの範囲が前記デインターリーブ手段によるデインターリーブ処理後の受信信号において互いに重なり合わず、且つ、
前記第２及び第３の動作パラメータの変更タイミングで前記第２及び第３の回路部品群に係る動作パラメータを変更することによって受信信号に誤りが発生した場合に当該誤りが占めることになるそれぞれの範囲が前記デインターリーブ手段によるデインターリーブ処理後の受信信号において互いに重なり合わないように決定する第２の変更決定手段をさらに備えていることを特徴とする請求項１〜１５のいずれか１項に記載のデジタル復調装置。
【請求項１７】
前記デインターリーブ手段が施すデインターリーブ処理が時間デインターリーブ処理であり、
前記第１の変更決定手段が、
前記第２の回路部品群の動作パラメータを前記第２の動作パラメータの変更量だけ前記動作パラメータ変更手段が変更してから時間インターリーブ長以上の時間が経過した後で前記第１の回路部品群の動作パラメータを前記第１の動作パラメータの変更量だけ前記動作パラメータ変更手段が変更するように、前記第１及び第２の動作パラメータの変更タイミングを決定し、
前記第２の変更決定手段が、
前記第１の回路部品群の動作パラメータを前記第１の動作パラメータの変更量だけ前記動作パラメータ変更手段が変更してから時間インターリーブ長以上の時間が経過した後で前記第３の回路部品群の動作パラメータを前記第３の動作パラメータの変更量だけ前記動作パラメータ変更手段が変更するように、前記第３の動作パラメータの変更タイミングを決定することを特徴とする請求項１６に記載のデジタル復調装置。
【請求項１８】
前記第１及び第２の変更決定手段が、
（ａ）前記第１〜第３の動作パラメータの変更タイミングが第２、第１、第３の順に時間的に並び、
（ｂ）前記第１の回路部品群に係る動作パラメータを変更することによって受信信号に受信信号に含まれることになる誤りの総量が前記第２の回路部品群に係る動作パラメータの変更によって減少し、且つ、
（ｃ）前記第３の動作パラメータの変更量だけ前記第３の回路部品群に係る動作パラメータを変更することによって、前記第１の動作パラメータの変更量だけ前記第１の回路部品群に係る動作パラメータを前記動作パラメータ変更手段が変更する前の動作パラメータに前記第１の回路部品群の動作パラメータが戻るように、
前記第１〜第３の回路部品群、動作パラメータの変更量及び動作パラメータの変更タイミングを決定することを特徴とする請求項１６又は１７に記載のデジタル復調装置。
【請求項１９】
インターリーブ処理が施された受信信号に選局処理を施すチューナ及び前記チューナからの受信信号に復調処理を施す復調器を構成する複数の回路部品群と、インターリーブ処理が施された前記チューナからの受信信号にデインターリーブ処理を施すデインターリーブ手段と、前記複数の回路部品群のうちの少なくともいずれか１つの動作パラメータを変更する動作パラメータ変更手段とを有するデジタル復調装置の制御方法であって、
前記複数の回路部品群のうち前記動作パラメータ変更手段によって動作パラメータが変更される第１及び第２の回路部品群、前記第１及び第２の回路部品群に係る第１及び第２の動作パラメータの変更量並びに前記第１及び第２の回路部品群に係る動作パラメータの第１及び第２の動作パラメータの変更タイミングを、前記第１及び第２の動作パラメータの変更タイミングで前記第１及び第２の回路部品群に係る動作パラメータを変更することによって受信信号に誤りが発生した場合に当該誤りが占めることになるそれぞれの範囲が前記デインターリーブ手段によるデインターリーブ処理後の受信信号において互いに重なり合わないように決定する変更決定ステップと、
前記変更決定ステップにおいて決定された前記第１及び第２の動作パラメータの変更タイミングで前記第１の変更決定ステップにおいて決定された前記第１及び第２の動作パラメータの変更量だけ前記第１の変更決定ステップにおいて決定された前記第１及び第２の回路部品群の動作パラメータをそれぞれ変更するように、前記動作パラメータ変更手段を制御するパラメータ変更制御ステップとを備えていることを特徴とするデジタル復調装置の制御方法。
【請求項２０】
インターリーブ処理が施された受信信号に選局処理を施すチューナ及び前記チューナからの受信信号に復調処理を施す復調器を構成する複数の回路部品群と、インターリーブ処理が施された前記チューナからの受信信号にデインターリーブ処理を施すデインターリーブ手段と、前記複数の回路部品群のうちの少なくともいずれか１つの動作パラメータを変更する動作パラメータ変更手段とを有するデジタル復調装置に用いられるプログラムであって、
前記複数の回路部品群のうち前記動作パラメータ変更手段によって動作パラメータが変更される第１及び第２の回路部品群、前記第１及び第２の回路部品群に係る第１及び第２の動作パラメータの変更量並びに前記第１及び第２の回路部品群に係る動作パラメータの第１及び第２の動作パラメータの変更タイミングを、前記第１及び第２の動作パラメータの変更タイミングで前記第１及び第２の回路部品群に係る動作パラメータを変更することによって受信信号に誤りが発生した場合に当該誤りが占めることになるそれぞれの範囲が前記デインターリーブ手段によるデインターリーブ処理後の受信信号において互いに重なり合わないように決定する変更決定ステップと、
前記変更決定ステップにおいて決定された前記第１及び第２の動作パラメータの変更タイミングで前記第１の変更決定ステップにおいて決定された前記第１及び第２の動作パラメータの変更量だけ前記第１の変更決定ステップにおいて決定された前記第１及び第２の回路部品群の動作パラメータをそれぞれ変更するように、前記動作パラメータ変更手段を制御するパラメータ変更制御ステップとをデジタル復調装置に実行させることを特徴とするデジタル復調装置用プログラム。
【請求項２１】
請求項２０のデジタル復調装置用プログラムが記録された記録媒体。
【請求項２２】
請求項１〜１８のいずれか１項に記載のデジタル復調装置を備えており、
前記デジタル復調装置が復調した受信信号に基づいて、文字、画像、音声及びデータの少なくともいずれか１つの再現処理を行うことを特徴とするデジタル受信装置。
【発明の詳細な説明】
【技術分野】
【０００１】
本発明は、インターリーブ処理が施された受信信号に選局処理及び復調処理を施すデジタル復調装置、その制御方法、デジタル復調装置用プログラム、デジタル復調装置用プログラムを記録した記録媒体及びデジタル受信装置に関する。
【背景技術】
【０００２】
変調信号を復調するデジタル復調装置は、変調信号に対して選局処理を施すチューナと復調処理を施す復調器とを有している。そして、デジタル復調装置の制御部は、チューナや復調器を構成する回路部品群に対して、その動作パラメータを変更する様々な制御を行う。例えば、特定の回路部品群の消費電力を低下させるため、その回路部品群に対して電力供給をＯＦＦにしたりＯＮにしたりする制御がなされる。
【０００３】
しかし、上記のような制御により、デジタル復調装置が扱う信号に誤りが生じることがある。特許文献１のデジタル復調装置は、ガードインターバル期間中に電源をＯＮ又はＯＦＦにすることにより電源制御の影響が受信信号に及びにくくするという構成を有している。
【特許文献１】特開２００１−２５１２７５号公報
【発明の開示】
【発明が解決しようとする課題】
【０００４】
しかし、特許文献１のデジタル復調装置による制御はガードインターバル期間中にしか行えない。ガードインターバル期間外に制御を行った場合には復調された信号から画像や音声等の情報を取得する際に情報の信頼性が確保され得ないという問題が生じ得る。特に、受信信号に発生する誤りが時間的に集中すると、信号から取得される情報が不正確になる。
【０００５】
本発明の目的は、動作パラメータを変更する制御を行った際に受信信号に発生する誤りが時間的に集中しにくく、復調した信号から取得される情報の信頼性が高いデジタル復調装置、その制御方法、デジタル復調装置用プログラム、デジタル復調装置用プログラムを記録した記録媒体及びデジタル受信装置を提供することにある。
【課題を解決するための手段及び発明の効果】
【０００６】
本発明のデジタル復調装置は、インターリーブ処理が施された受信信号に選局処理を施すチューナと、前記チューナからの受信信号に復調処理を施す復調器とを構成する複数の回路部品群と、インターリーブ処理が施された前記チューナからの受信信号にデインターリーブ処理を施すデインターリーブ手段と、前記複数の回路部品群のうちの少なくともいずれか１つの動作パラメータを変更する動作パラメータ変更手段と、前記複数の回路部品群のうち前記動作パラメータ変更手段によって動作パラメータが変更される第１及び第２の回路部品群、前記第１及び第２の回路部品群に係る第１及び第２の動作パラメータの変更量並びに前記第１及び第２の回路部品群に係る動作パラメータの第１及び第２の動作パラメータの変更タイミングを、前記第１及び第２の動作パラメータの変更タイミングで前記第１及び第２の回路部品群に係る動作パラメータを変更することによって受信信号に誤りが発生した場合に当該誤りが占めることになるそれぞれの範囲が前記デインターリーブ手段によるデインターリーブ処理後の受信信号において互いに重なり合わないように決定する第１の変更決定手段と、前記第１の変更決定手段が決定した前記第１及び第２の動作パラメータの変更タイミングで前記第１の変更決定手段が決定した前記第１及び第２の動作パラメータの変更量だけ前記第１の変更決定手段が決定した前記第１及び第２の回路部品群の動作パラメータをそれぞれ変更するように、前記動作パラメータ変更手段を制御するパラメータ変更制御手段とを備えている。
【０００７】
また、本発明のデジタル復調装置の制御方法は、インターリーブ処理が施された受信信号に選局処理を施すチューナ及び前記チューナからの受信信号に復調処理を施す復調器を構成する複数の回路部品群と、インターリーブ処理が施された前記チューナからの受信信号にデインターリーブ処理を施すデインターリーブ手段と、前記複数の回路部品群のうちの少なくともいずれか１つの動作パラメータを変更する動作パラメータ変更手段とを有するデジタル復調装置の制御方法であって、前記複数の回路部品群のうち前記動作パラメータ変更手段によって動作パラメータが変更される第１及び第２の回路部品群、前記第１及び第２の回路部品群に係る第１及び第２の動作パラメータの変更量並びに前記第１及び第２の回路部品群に係る動作パラメータの第１及び第２の動作パラメータの変更タイミングを、前記第１及び第２の動作パラメータの変更タイミングで前記第１及び第２の回路部品群に係る動作パラメータを変更することによって受信信号に誤りが発生した場合に当該誤りが占めることになるそれぞれの範囲が前記デインターリーブ手段によるデインターリーブ処理後の受信信号において互いに重なり合わないように決定する変更決定ステップと、前記変更決定ステップにおいて決定された前記第１及び第２の動作パラメータの変更タイミングで前記第１の変更決定ステップにおいて決定された前記第１及び第２の動作パラメータの変更量だけ前記第１の変更決定ステップにおいて決定された前記第１及び第２の回路部品群の動作パラメータをそれぞれ変更するように、前記動作パラメータ変更手段を制御するパラメータ変更制御ステップとを備えている。
【０００８】
また、本発明のデジタル復調装置用プログラムは、インターリーブ処理が施された受信信号に選局処理を施すチューナ及び前記チューナからの受信信号に復調処理を施す復調器を構成する複数の回路部品群と、インターリーブ処理が施された前記チューナからの受信信号にデインターリーブ処理を施すデインターリーブ手段と、前記複数の回路部品群のうちの少なくともいずれか１つの動作パラメータを変更する動作パラメータ変更手段とを有するデジタル復調装置に用いられるプログラムであって、前記複数の回路部品群のうち前記動作パラメータ変更手段によって動作パラメータが変更される第１及び第２の回路部品群、前記第１及び第２の回路部品群に係る第１及び第２の動作パラメータの変更量並びに前記第１及び第２の回路部品群に係る動作パラメータの第１及び第２の動作パラメータの変更タイミングを、前記第１及び第２の動作パラメータの変更タイミングで前記第１及び第２の回路部品群に係る動作パラメータを変更することによって受信信号に誤りが発生した場合に当該誤りが占めることになるそれぞれの範囲が前記デインターリーブ手段によるデインターリーブ処理後の受信信号において互いに重なり合わないように決定する変更決定ステップと、前記変更決定ステップにおいて決定された前記第１及び第２の動作パラメータの変更タイミングで前記第１の変更決定ステップにおいて決定された前記第１及び第２の動作パラメータの変更量だけ前記第１の変更決定ステップにおいて決定された前記第１及び第２の回路部品群の動作パラメータをそれぞれ変更するように、前記動作パラメータ変更手段を制御するパラメータ変更制御ステップとをデジタル復調装置に実行させる。
【０００９】
本発明のデジタル復調装置、デジタル復調装置の制御方法及びデジタル復調装置用プログラムによると以下のような効果が奏される。つまり、動作パラメータの変更によって誤りが発生する場合にその誤りがデインターリーブ処理後の受信信号において占める範囲が重なり合わないため、時間的に誤りが集中しにくい。したがって、復調された受信信号から取得される情報の信頼性が向上する。
【００１０】
また、本発明においては、前記デインターリーブ手段が施すデインターリーブ処理が時間デインターリーブ処理であり場合には、前記第１の変更決定手段が、前記第１の回路部品群の動作パラメータを前記第１の動作パラメータの変更量だけ前記動作パラメータ変更手段が変更してから時間インターリーブ長以上の時間が経過した後で前記第２の回路部品群の動作パラメータを前記第２の動作パラメータの変更量だけ前記動作パラメータ変更手段が変更するように、前記第１及び第２の動作パラメータの変更タイミングを決定することが好ましい。時間デインターリーブ処理によって１つのシンボルに含まれる誤りは時間インターリーブ長の範囲に分散されるため、この構成によると第１及び第２の回路部品群に係る動作パラメータの変更で発生した誤りが時間デインターリーブ処理後の受信信号において互いに重なり合いにくくなる。これによって、誤りが受信信号に時間的に集中しにくくなる。
【００１１】
また、本発明においては、前記第１の変更決定手段が前記チューナ内に構築されており、前記チューナが、有効シンボル長に係る情報を含む時間インターリーブ長に係る情報を前記復調器から受け取ることが好ましい。この構成によると、変更決定手段がチューナ内に構築されているため、チューナに係る動作パラメータの変更がなされる場合に都合が良い。また、この場合に復調器が取得した時間インターリーブ長に係る情報がチューナに送られるため、変更決定手段がチューナ内に構築されている場合においても変更決定手段が時間インターリーブ長を確実に導出できる。
【００１２】
また、本発明においては、前記第１の変更決定手段が、前記第１の動作パラメータの変更タイミングよりも前記第２の動作パラメータの変更タイミングが時間的に前となり、且つ、前記第１の回路部品群に係る動作パラメータを変更することによって受信信号に含まれることになる誤りの総量が前記第２の回路部品群に係る動作パラメータの変更によって減少するように、前記第１及び第２の回路部品群、動作パラメータの変更量及び動作パラメータの変更タイミングを決定することが好ましい。この構成によると、第１の回路部品群に係る動作パラメータが変更される前に第２の回路部品群に係る動作パラメータの変更がなされることで誤りの総量が減少されるため、第１の回路部品群に係る動作パラメータの変更によって誤りが生じる場合においても、受信信号に誤りが時間的に集中することが回避され得る。
【００１３】
また、本発明においては、前記デインターリーブ手段がデインターリーブ処理を施した受信信号に含まれる誤りを訂正する誤り訂正手段をさらに備えており、前記第１の変更決定手段が、前記第２の回路部品群の動作パラメータを前記第２の動作パラメータの変更量だけ前記動作パラメータ変更手段が変更することによって前記誤り訂正手段の誤り訂正能力が向上するように、前記第２の回路部品群、動作パラメータの変更量及び動作パラメータの変更タイミングを決定することが好ましい。この構成によると、誤り訂正能力を向上させることにより、受信信号に含まれる誤りが確実に減少する。
【００１４】
また、本発明においては、前記第１の変更決定手段が、受信信号の信頼性に応じて前記誤り訂正手段の誤り訂正性能が変更されるように前記第２の回路部品群、動作パラメータの変更量及び動作パラメータの変更タイミングを決定することが好ましい。動作パラメータの変更等により受信信号の信頼性が低下した場合には、このような状況に応じて誤り訂正を行う方がより誤りが訂正されやすい。したがって、上記の構成によると、誤り訂正能力がより確実に向上する。
【００１５】
また、本発明においては、前記第１の変更決定手段が、前記第２の回路部品群の動作パラメータを前記第１の動作パラメータの変更量だけ前記動作パラメータ変更手段が変更した後における前記第１の回路部品群の消費電力が、前記第１の回路部品群の動作パラメータを前記第１の動作パラメータの変更量だけ前記動作パラメータ変更手段が変更する前と比べて低下するように、前記第１の回路部品群、動作パラメータの変更量及び動作パラメータの変更タイミングを決定することが好ましい。この構成によると、デジタル復調装置の消費電力が減少する。
【００１６】
また、本発明においては、前記第１の変更決定手段が、前記第１の回路部品群の動作パラメータを前記第１の動作パラメータの変更量だけ前記動作パラメータ変更手段が変更することによって発生する誤りが受信信号に占める範囲が、前記デインターリーブ手段が施すデインターリーブ処理前において受信信号に含まれる１つのシンボル内に収まるように、前記第１の回路部品群、動作パラメータの変更量及び動作パラメータの変更タイミングを決定することが好ましい。この構成によると、動作パラメータの変更によって発生する誤りが例えば時間デインターリーブ処理後に占める範囲が時間インターリーブ長以内となるため、誤りが重なり合いにくくなる。
【００１７】
また、本発明においては、前記第１の変更決定手段が、受信信号に含まれるシンボルの先端で前記第１の回路部品群の動作パラメータを前記動作パラメータ変更手段が変更するように前記第１の動作パラメータの変更タイミングを決定することが好ましい。この構成によると、動作パラメータの変更によって発生する誤りが影響を及ぼすシンボルの数が最小限に抑えられる。これによって、例えばシンボル内の情報の信頼性が極端に悪くなるようなシンボルの数が最小限となる。
【００１８】
また、本発明においては、前記第１の変更決定手段が前記チューナ内に構築されており、前記復調器が、受信信号に含まれるシンボルの同期を取得するシンボル同期取得手段を有しており、前記チューナが、前記シンボル同期取得手段が取得したシンボルの同期に係る情報を前記復調器から受け取ることが好ましい。この構成によると、変更決定手段がチューナ内に構築されているため、チューナに係る動作パラメータの変更がなされる場合に都合が良い。また、変更決定手段がチューナ内に構築されている場合においても、シンボルに基づいて動作パラメータの変更量や変更タイミングを決定する際に必要な情報が変更決定手段に提供され得る。
【００１９】
また、本発明においては、前記チューナが、回路部品群から構成されるＲＦアンプ、ミキサ、フィルタ、ＩＦアンプ及びＶＣＯ・ＰＬＬを有しており、前記第１の変更決定手段が決定する前記第１又は第２の回路部品群が、ＲＦアンプ、ミキサ、フィルタ、ＩＦアンプ及びＶＣＯ・ＰＬＬのうちのいずれかを構成する回路部品群であることが好ましい。この構成によると、チューナ等を構成する回路部品群のうち具体的な機能を有する単位で動作パラメータの変更が行われる。したがって、動作パラメータの変更による効果や受信信号に与える影響が明確であり、変更量や変更タイミングが適切に決定され得る。
【００２０】
また、本発明においては、前記第１の変更決定手段が決定する前記第１の回路部品群に含まれる回路部品の数が、前記第１の変更決定手段が決定する前記第２の回路部品群に含まれる回路部品の数と異なることが好ましい。この構成によると、適切な単位の回路部品群が決定され得る。
【００２１】
また、本発明においては、前記複数の回路部品群のうち前記動作パラメータ変更手段によって動作パラメータが変更される第３の回路部品群、前記第３の回路部品群に係る第３の動作パラメータの変更量及び前記第３の回路部品群に係る第３の動作パラメータの変更タイミングを、前記第１及び第３の動作パラメータの変更タイミングで前記第１及び第３の回路部品群に係る動作パラメータを変更することによって受信信号に誤りが発生した場合に当該誤りが占めることになるそれぞれの範囲が前記デインターリーブ手段によるデインターリーブ処理後の受信信号において互いに重なり合わず、且つ、前記第２及び第３の動作パラメータの変更タイミングで前記第２及び第３の回路部品群に係る動作パラメータを変更することによって受信信号に誤りが発生した場合に当該誤りが占めることになるそれぞれの範囲が前記デインターリーブ手段によるデインターリーブ処理後の受信信号において互いに重なり合わないように決定する第２の変更決定手段をさらに備えていることが好ましい。この構成によると、第１〜第３の３つの回路部品群において動作パラメータの変更を行う場合でも、これによって発生する誤りが時間的に集中しにくくなり、受信信号に含まれる情報の信頼性が向上する。
【００２２】
また、本発明においては、前記デインターリーブ手段が施すデインターリーブ処理が時間デインターリーブ処理であり場合に、前記第１の変更決定手段が、前記第２の回路部品群の動作パラメータを前記第２の動作パラメータの変更量だけ前記動作パラメータ変更手段が変更してから時間インターリーブ長以上の時間が経過した後で前記第１の回路部品群の動作パラメータを前記第１の動作パラメータの変更量だけ前記動作パラメータ変更手段が変更するように、前記第１及び第２の動作パラメータの変更タイミングを決定し、前記第２の変更決定手段が、前記第１の回路部品群の動作パラメータを前記第１の動作パラメータの変更量だけ前記動作パラメータ変更手段が変更してから時間インターリーブ長以上の時間が経過した後で前記第３の回路部品群の動作パラメータを前記第３の動作パラメータの変更量だけ前記動作パラメータ変更手段が変更するように、前記第３の動作パラメータの変更タイミングを決定することが好ましい。この構成によると、第１〜第３の３つの回路部品群において動作パラメータの変更を行う場合でも、時間デインターリーブ処理後の受信信号においてこれらの変更によって発生する誤りが時間的に集中しにくくなる。
【００２３】
また、本発明においては、前記第１及び第２の変更決定手段が、（ａ）前記第１〜第３の動作パラメータの変更タイミングが第２、第１、第３の順に時間的に並び、（ｂ）前記第１の回路部品群に係る動作パラメータを変更することによって受信信号に受信信号に含まれることになる誤りの総量が前記第２の回路部品群に係る動作パラメータの変更によって減少し、且つ、（ｃ）前記第３の動作パラメータの変更量だけ前記第３の回路部品群に係る動作パラメータを変更することによって、前記第１の動作パラメータの変更量だけ前記第１の回路部品群に係る動作パラメータを前記動作パラメータ変更手段が変更する前の動作パラメータに前記第１の回路部品群の動作パラメータが戻るように、前記第１〜第３の回路部品群、動作パラメータの変更量及び動作パラメータの変更タイミングを決定することが好ましい。第１の回路部品群に係る動作パラメータの変更によって発生する誤りの影響を抑えるために例えば誤り訂正の能力が向上されるような場合にはデジタル復調装置の消費電力が大きくなる場合がある。上記の構成によると、第１の回路部品群に係る動作パラメータの変更によって発生する誤りの影響を抑えるために第２の回路部品群に係る動作パラメータの変更を行った場合においても、第３の回路部品群に係る動作パラメータの変更によって第２の回路部品群に係る動作パラメータが元に戻される。このため、消費電力が元の状態に戻されるため、無駄に電力を消費するのが防止される。
【００２４】
なお、上記の本発明のデジタル復調装置用プログラムは、ＣＤ−ＲＯＭ（Compact Disc Read Only Memory）ディスク、フレキシブルディスク（ＦＤ）、ＭＯ（Magneto Optical）ディスクなどのリムーバブル型記録媒体や、ハードディスクなどの固定型記録媒体のようなコンピュータ読み取り可能な記録媒体に記録して配布可能である他、有線又は無線の電気通信手段によってインターネットなどの通信ネットワークを介して配布可能である。また、これらのプログラムは、デジタル復調装置専用のものでなくてもよく、選局処理やデジタル復調処理に係るプログラムと組み合わせて使用されることにより汎用型のプロセッサをデジタル復調装置として機能させるプログラムであってもよい。
【００２５】
また、本明細書において「回路部品」とはチューナを構成する回路部品又は復調器を構成する回路部品のことであり、「回路部品群」とは複数の回路部品の集合である。具体的には、例えば図２に示されているチューナ２が有する各部を構成する回路、及び、図６に示されている復調器３が有する復調部を構成する回路や、これらの回路を構成する１個のトランジスタに等価な部品等、あらゆる単位の部品が回路部品に相当し得る。そして、例えば、回路部品がＲＦアンプを構成するトランジスタに等価な１つの回路であるとすると、ＲＦアンプはこれらの回路部品が複数集まった回路部品群から構成されることになる。なお、回路部品群に含まれる回路部品の数とは、このような例においてはトランジスタに等価な回路の数に相当する。そして、回路部品の数が比較される際には同程度の回路を単位としてその数が評価されるものとする。
【発明を実施するための最良の形態】
【００２６】
以下は、本発明の好適な一実施形態であるデジタル復調装置についての説明である。図１は本デジタル復調装置１の全体の概略構成を示している。
【００２７】
本発明のデジタル復調装置１は携帯電話２０１（デジタル受信装置）に設けられている。携帯電話２０１がアンテナから受信した信号Ｓｒはデジタル復調装置１によって復調される。そして、デジタル復調装置１から出力された復調信号から文字や画像や音声やプログラムなどのデータに係る情報が取り出され、これらの文字や画像や音声やプログラムなどのデータが再現されて、携帯電話２０１に設けられた図示されていないディスプレイやスピーカなどを通じて電話の使用者に提供される。なお、デジタル復調装置１が、携帯電話の他、デジタルＴＶ、無線ＬＡＮ装置、無線ＬＡＮを搭載したＰＣ等（以上、デジタル受信装置）に採用されてもよい。
【００２８】
デジタル復調装置１はチューナ２、復調器３を有している。チューナ２は復調器３と電気的に接続されている。また、チューナ２はアンテナ等と電気的に接続されており、このアンテナ等を用いて信号を受信する。そしてチューナ２は受信した信号Ｓｒの増幅等を行い、信号ＳｒをＩＦ（Intermediate Frequency：中間周波数）信号に変換して復調器３へと送信する。復調器３はチューナ２から送信されるＩＦ信号を受信し、ＩＦ信号から復調信号、例えばＴＳ（Transport Stream）信号を形成して出力する。
【００２９】
＜チューナ＞
以下は、チューナ２についての説明である。図２はチューナ２の構成を示す図である。
【００３０】
チューナ２はＲＦアンプ部２１、ミキサ部２２、ＶＣＯ・ＰＬＬ部２３、フィルタ部２４及びＩＦアンプ部２５を有している。チューナ２が受信した信号Ｓｒは、ＲＦアンプ部２１によって増幅されて、ミキサ部２２に送られる。一方、ＶＣＯ・ＰＬＬ部２３は、特定のチャンネルに相当する周波数に基づくミキシング信号を形成する（選局処理）。ＶＣＯ・ＰＬＬ部２３が形成したミキシング信号はミキサ部２２に送られる。そして、ミキサ部２２は、ＲＦアンプ部２１から送られた信号Ｓｒと、ＶＣＯ・ＰＬＬ部２３から送られたミキシング信号とを混合し、ＩＦ周波数に応じたＩＦ信号を形成する。
【００３１】
ミキサ部２２が形成したＩＦ信号はフィルタ部２４に送られる。フィルタ部２４はミキサ部２２から送られたＩＦ信号から不要な信号成分を除去する。不要な信号成分が除去されたＩＦ信号ＳｉはＩＦアンプ部２５に送られ、ＩＦアンプ部２５によって増幅されて復調器３へと送信される。
【００３２】
また、チューナ２にはチューナ制御部４が構築されており、チューナ制御部４は後述のようにＲＦアンプ部２１等のチューナ２の各部を制御する。
【００３３】
＜受信信号＞
以下は、チューナ２が受信する信号Ｓｒについての説明である。本実施形態の一例としては、信号Ｓｒの伝送において日本の地上波デジタル放送に係る伝送方式が採用された場合が示される。この場合、チューナ２が受け取る信号Ｓｒは、ＩＳＤＢ−Ｔ（Integrated Services Digital Broadcasting-Terrestrial）方式に係るものである。ＩＳＤＢ−Ｔ方式の伝送方式には、ＯＦＤＭ（Orthogonal Frequency Division Multiplexing）方式が採用されている。
【００３４】
なお、本実施形態に係るデジタル復調装置の受信信号は、上記のＩＳＤＢ−Ｔ方式の他、欧州のＤＡＢ（Digital Audio Broadcasting）、ＤＶＢ−Ｔ（Digital Video Broadcasting-Terrestrial）,ＤＶＢ−Ｈ（-Handheld）方式、韓国のＤＭＢ（Digital Multimedia Broadcasting）方式、無線ＬＡＮに用いられるIEEE802.11a/b/g/n方式が採用されたものでもよい。さらに、ＯＦＤＭ方式が採用された信号を受信するアンテナの無いケーブルＴＶ等に適用されてもよい。
【００３５】
ＯＦＤＭ方式とは以下のような伝送方式である。まず、この方式はデータの搬送に複数の異なる周波数の搬送波が用いられるマルチキャリア方式である。そして、ＯＦＤＭ方式で用いられる搬送波は相互に直交する波形を有している。ここで、「２つの波形が直交する」とは、時間に対する波の振幅を表すそれぞれの関数同士を掛け合わせ、一周期に相当する積分範囲で時間積分したもの（内積）がゼロになることをいう。
【００３６】
データ送信の際には、送信されるデータの各値に応じて変調された複数の搬送波が重ね合わされた変調信号が形成される。つまり、送信されるデータに含まれる複数のデータ値の配列順に従って各データ値が異なる搬送波に振り分けられる。そして、振り分けられたデータ値に応じて搬送波が変調され、変調された複数の搬送波が重ね合わされることによりＯＦＤＭ信号が形成される。ＯＦＤＭ方式においてこのようにＯＦＤＭ信号を形成することは、逆フーリエ変換を行うことと同等である。なお、以下の説明において、有効シンボル長とはＯＦＤＭ方式で用いられる搬送波の周波数間隔の逆数をいう。
【００３７】
次に、直接波以外の遅延波の影響を削減するため、上記のように変調された複数の搬送波が重ね合わされた変調信号にはさらにガードインターバルが挿入される。ガードインターバルは、上記の変調信号において有効シンボル長あたりの信号（主信号に対応）ごとに、この信号の一端部における一部が複写され、他端部に挿入されたものである。このようにガードインターバルが挿入された変調信号が、ＯＦＤＭ信号として送信される。
【００３８】
有効シンボル長の信号とガードインターバルの長さとからなる信号は、１シンボルと呼ばれる。ＯＦＤＭ信号はこのような複数のシンボルが連なって構成される。ＯＦＤＭ信号と時間的に遅延して受信側に到達する遅延波とが重ね合わされた信号が受信された場合には、異なるシンボルに含まれる信号が重なり合った部分が受信信号に含まれる。ガードインターバルは、このように異なるシンボルに含まれる信号が重なり合っていない部分を取り出すために用いられている。
【００３９】
また、地上波デジタル放送においては、ＯＦＤＭ信号によって伝送されるデータに対して、伝送経路上で発生する雑音や干渉波によって発生する誤りを訂正するための符号化が行われる。符号化にはリードソロモン符号（ＲＳ符号）とビタビ符号とが用いられる。地上波デジタル放送で用いられるＲＳ符号においては、伝送される２０４バイトのデータのうち、後ろ１６バイト分がチェックビットであり、２０４バイト中最大８バイトの誤りが訂正可能である。
【００４０】
また、ビタビ符号においては、符号化後の伝送されるｎビットに対して、符号化前のデータがｋビットのときの符号化率をｋ／ｎとして、１／２から７／８が規格化されている。これらＲＳ符号化及びビタビ符号化されたデータを元に戻すために、受信側ではＲＳ復号及びビタビ復号が行われる。
【００４１】
ところで、伝送経路の状態によっては、伝送信号に対して時間的又は周波数的に誤りが集中するバースト誤りが発生する場合がある。また、ビタビ符号化された信号を元に戻すビタビ復号後において誤り訂正できない場合には、一般的にバースト誤りが起こることが多い。ＲＳ復号を用いた誤り訂正によって上記のようなある長さの信号に発生する誤りを訂正する場合、この長さの信号あたりにおける訂正可能な誤り数には限界がある。したがって、上記のようなバースト誤りが発生すると、誤りの訂正が不可能となる場合がある。
【００４２】
地上波デジタル放送においては、このように伝送信号にバースト誤りが発生した場合にも誤り訂正が可能となるように、伝送信号によって伝送されるデータに対して種々のインターリーブ処理が施される。インターリーブには、ビットインターリーブ、バイトインターリーブ及び時間インターリーブや周波数インターリーブがある。これらは、伝送信号に含まれる信号に対応するデータを時間や周波数的に並べ替えるものである。特に、時間的に連続する複数の信号を時間的に並べ替える目的のため、時間的インターリーブがある。また、周波数的に連続する複数の搬送波を周波数的にランダムに並べ替えるために周波数インターリーブがある。例えば、時間インターリーブ及び時間インターリーブが行われたデータを元に戻す時間デインターリーブは以下のように行われる。
【００４３】
図３は、時間インターリーブ及び時間デインターリーブの一例を示す模式図である。図３においては、インターリーブ及びデインターリーブ処理が施される前後の３つの信号Ｓｉが示されている。これらの３つの信号は、図３に示されているように、時間的に連続する複数のシンボルＳｂからなる。
【００４４】
変調された複数の搬送波からなるＯＦＤＭ信号Ｓｉは、時間インターリーブにより、シンボルＳｂの長さに対応するデータごとに、あらかじめ決められた順序に従って、図３のように並べ替えられる。このように並べ替えられたデータに対応する信号が送信されると、伝送経路の状態によって、信号の一部にバースト誤り１０１が発生する。そして、この信号が受信されると、受信側で時間デインターリーブが行われる。時間インターリーブによりいったん並べ替えられたデータが、時間デインターリーブにより再び元の順序に戻される。ここで、伝送経路において複数のシンボルに跨って発生したバースト誤り１０１は、時間デインターリーブによりシンボルごとの誤り１０２のように分散される。
【００４５】
図３に示されているように、時間インターリーブによって各シンボルは時間インターリーブ前の時間的な位置よりも後ろの位置に移動するように並べ替えが行われる。また、各シンボルにおける周波数の異なる搬送波に含まれる信号は、並べ替え後の信号におけるそれぞれ別の時間的な位置に含まれることとなる。
【００４６】
このように、時間的に誤りが集中するバースト誤りが発生した場合でも、時間デインターリーブ後には誤りが分散されるため、誤り訂正が可能となる。
【００４７】
バイトインターリーブにおいては２０４バイトのＲＳ符号化の単位でデータが分散されるように、バイト単位の信号の並べ替えが行われる。また、ビットインターリーブにおいてはビット単位で信号の並べ替えが行われる。さらに、周波数インターリーブにおいては、ＯＦＤＭ信号Ｓｒに含まれる各搬送波を跨いでシンボルの並べ替えが行われる。
【００４８】
地上波デジタル放送においては、このほか、データの偏りによる伝送信号のエネルギーの偏りを防ぐため、エネルギー拡散が行われる。エネルギー拡散は、擬似ランダムデータと伝送信号に係るデータとのビット単位の排他的論理和をとって、データをランダム化することにより行われる。
【００４９】
＜復調器＞
以下は、復調器３についての説明である。図４（ａ）は復調器３の構成を示すブロック図である。図４（ａ）に示されているように、復調器３は、下記に示されるＡＤＣ部３１等の複数の部品から構成されている。なお、下記の各部品は、それぞれの機能を果たすように特化された回路を有する部品であってもよいし、汎用のＣＰＵ、ＲＡＭ等と下記の各機能を果たすようにＣＰＵを機能させるプログラムとからなるものでもよい。後者の場合には、ＣＰＵ等のハードウェア及びプログラムが組み合わされることによって、以下に説明するＦＦＴ部３３等が構築される。
【００５０】
復調器３は、ＡＤＣ部３１、ＡＦＣ・シンボル同期部３２、ＦＦＴ部３３、フレーム同期部３４、検波部３５、波形等化部３７及び誤り訂正部３６を有している。復調器３は、ＩＦ信号に復調処理及び誤り訂正処理を施す。
【００５１】
チューナ２から送信されたＩＦ信号はＡＤＣ部３１に入力される。ＡＤＣ部３１は、アナログ信号である入力されたＩＦ信号をデジタル信号に変換し、変換したデジタル信号をＡＦＣ・シンボル同期部３２へと送る。ＡＦＣ・シンボル同期部３２は、ＡＤＣ部から送られたデジタル信号に対してフィルタ処理などの補正処理等を行う。そして、ＡＦＣ・シンボル同期部３２は、後述のＦＦＴ部３３によるフーリエ変換の開始点、つまり、シンボル同期点を決定する（シンボル同期取得手段）。そして、同期が取られたデジタル信号をＦＦＴ部３３へと送る。これと共に、ＡＦＣ・シンボル同期部３２はチューナ制御部４へと、シンボル同期点に係る情報を送る。さらに、ＡＦＣ・シンボル同期部３２は、有効シンボル長を示すモードに係る情報を導出し、その情報をチューナ制御部４へと送る。有効シンボル長を示すモードには、モード１（有効シンボル長２５２μｓ）、モード２（有効シンボル長５０４μｓ）及びモード３（有効シンボル長１００８μｓ）がある。
【００５２】
なお、シンボル同期点の決定においては、遅延して到達する遅延波等の影響が最も少ない最適な受信が可能な点が同期点として設定される。このような同期点の決定方法として、信号の相関を参照する方法や、パイロット信号を用いて位相のずれを補正する方法等が用いられる。
【００５３】
ＦＦＴ（Fast Fourier Transform）部３３は、ＡＦＣ・シンボル同期部３２から送られたデジタル信号をフーリエ（時間−周波数）変換する。このフーリエ変換には、いわゆる高速フーリエ変換（ＦＦＴ）が一般的に用いられる。つまり、このデジタル信号はＯＦＤＭ信号なので、逆フーリエ変換された波形、すなわち、データ値に応じて変調された複数の搬送波が重ね合わされた波形を有している。ＦＦＴ部３３は、このように重ね合わされた波形から、データ値に従って変調された複数の搬送波をフーリエ変換によって取り出す。そして、ＦＦＴ部３３は、各搬送波に振り分けられた各データ値に対応するデジタル信号を、データの元の配列順で時間的に並ぶように並べ替えて、ＯＦＤＭ信号形成前のデータに対応するデジタル信号を再形成する。そして、ＦＦＴ部３３はこのデジタル信号をフレーム同期部３４へと送る。
【００５４】
フレーム同期部３４は、ＦＦＴ部３３から送られたデジタル信号におけるフレーム単位での同期をとる。１フレームは例えば２０４のシンボルからなり、１フレームの信号から１まとまりのＴＭＣＣ情報が取得される。フレーム同期部３４によって同期が取られたデジタル信号は波形等化部３７へと送られると同時に、検波部３５へも送られる。
【００５５】
波形等化部３７は、デジタル信号に含まれるスキャッタードパイロット信号等に基づき、フレーム同期部３４によって同期が取られたデジタル信号に対して波形等化を行う。そして、波形等化によって信号補正を施した後、データ値に相当する復調信号に復調し、復調した復調信号を誤り訂正部３６へと送る。また、波形等化部３７は、デジタル信号に含まれるスキャッタードパイロット信号等に基づき波形等化が施された各搬送波のコンスタレーションと規定値との差を導出する。
【００５６】
一方、検波部３５はデジタル信号に含まれるＴＭＣＣ情報を取り出す。そして、ＴＭＣＣに係る情報とをチューナ制御部４へと送る。ＴＭＣＣ情報には、６４ＱＡＭ、１６ＱＡＭ、ＱＰＳＫ等のキャリア変調方式、畳み込み符号化率（１／２、２／３、３／４、５／６、７／８）等の伝送方式に係る情報が含まれる。また、ガードインターバル長として、有効シンボルの１／４，１／８，１／１６及び１／３２の長さが採用される。
【００５７】
誤り訂正部３６は、図４（ａ）に示されているように、デインターリーブ部４１、復号部４２及びエネルギー逆拡散部４３を有している。デインターリーブ部４１は波形等化部３７から送られた復調信号にデインターリーブ処理を施す。デインターリーブ部４１は、図４（ｂ）に示されているように、周波数デインターリーブ部５１、時間デインターリーブ部５２、ビットデインターリーブ部５３及バイトデインターリーブ部５４を有している。これらのデインターリーブ部５１〜５４は、それぞれ上述のような種々のインターリーブに対応する、周波数デインターリーブ、時間デインターリーブ、ビットデインターリーブ、及び、バイトデインターリーブを行う。種々のインターリーブ処理が施された復調信号が、これらのデインターリーブ処理によりインターリーブ前の復調信号に戻される。
【００５８】
復号部４２は、波形等化部３７から送られた復調信号を復号する。復号部４２は、図４（ｃ）に示されているように、ビタビ復号部６１及びＲＳ復号部６２を有している。これらの復号部６１及び６２は、それぞれ上記のようなビタビ復号及びＲＳ復号を行う。これらの復号によって、ビタビ符号化及びＲＳ符号化が施された復調信号が符号化前の復調信号に戻される。
【００５９】
エネルギー逆拡散部４３は、検波部３５から送られた復調信号をエネルギー拡散される前の復調信号に戻す。
【００６０】
これら種々のデインターリーブ、復号及びエネルギー逆拡散は、送信側で行われた種々のインターリーブ、符号化及びエネルギー拡散の順番に対応する順番で行われる。ＩＳＤＢ−Ｔの復調の場合には、周波数デインターリーブ、時間デインターリーブ、ビットデインターリーブ、ビタビ復号、バイトデインターリーブ、エネルギー逆拡散及びＲＳ復号の順に行われる。
【００６１】
また、復調器３には復調器制御部５が構築されている。復調器制御部５は、後述のように、復調器３が有する各部における動作パラメータの変更を行う。
【００６２】
＜チューナ制御部による動作パラメータの変更＞
以下は、チューナ制御部４によるチューナ２の動作パラメータの変更についての説明である。なお、以下では、チューナ制御部４によるチューナ２の動作パラメータの変更について、第１、第２及び第３の順に第１〜第３の３つの実施形態が説明される。
【００６３】
［第１の実施形態］
図５（ａ）に示されているように、チューナ制御部４は変更決定部４０１及び動作パラメータ変更部４０２を有している。変更決定部４０１及び動作パラメータ変更部４０２は、チューナ２における種々の動作パラメータを変更する制御を行う。例えば、ＶＣＯ・ＰＬＬ部２３等の消費電力が低下するようにＶＣＯ・ＰＬＬ部２３の消費電力に係る動作パラメータを変更する。
【００６４】
一方、チューナには、電波経路上の様々な要因による誤りが付加された信号Ｓｒが入力される。さらに、チューナに入力された信号Ｓｒには、チューナ内部の種々な要因による誤りが付加されて、信号Ｓｉがチューナから出力される。図６（ａ）の曲線９１ａは信号Ｓｉに含まれるこのような誤りの量を示している。上記のように例えばＶＣＯ・ＰＬＬ部２３の消費電力を変更した場合等、チューナ２の動作パラメータを変更した場合にも信号Ｓｉに誤りが発生する。曲線９１ａには、信号Ｓｉにおけるシンボル７１ａ及び７２ａに相当する位置に、このような動作パラメータの変更によって誤り８１ａ及び８２ａが発生した様子が示されている。なお、図６においては、誤りの影響が１つのシンボル内に収まる場合が想定されている。
【００６５】
このような信号Ｓｉに含まれる誤りは、上記の通り、デインターリーブ部４１のデインターリーブによって分散される。曲線９２ａは、例えば、時間デインターリーブによって分散された信号Ｓｄに含まれる信号の誤り量を示している。誤り８１ａ及び８２ａのそれぞれは時間インターリーブ長Ｌｉの長さの範囲に亘って分散されている。しかし、図６（ａ）に示されているように、誤り８１ａ及び８２ａが分散された範囲は重なっており、このように重なった期間Ｐ０においては分散された範囲が重なっていない位置と比べてより多くの誤りが信号Ｓｄに含まれることになる。このように、デインターリーブ後の信号Ｓｄにおいて時間的に誤りが集中した範囲が存在すると、誤り訂正部３６によって誤りを訂正する処理が行われた後でも、誤りが完全に訂正されてないことがあり得る。信号Ｓｄ中の誤りが十分に訂正されないと、誤り訂正後の信号に含まれる情報の信頼性が低いものとなる。したがって、信号Ｓｉに含まれる情報の信頼性を向上させるためには、デインターリーブ処理後の信号Ｓｄにおいて誤りが分散された範囲が重ならないようにしなければならない。
【００６６】
上記のように時間デインターリーブ後に分散された誤りの範囲が重なり合うのは、誤り８１ａ及び８２ａが時間的に互いに接近しているためである。時間デインターリーブにおいては図６に示されているように時間インターリーブ長の範囲で後方に（時間的に後に）誤りが分散される。このため、分散された範囲が重ならないようにするためには、図６（ｂ）に示されているように、誤り８１ｂ及び８２ｂが時間インターリーブ長以上時間的に離隔されればよい。曲線９１ｂは時間デインターリーブ前の信号Ｓｉに含まれる誤りの量を示し、曲線９２ｂは時間デインターリーブ後の信号Ｓｄに含まれる誤りの量を示している。
【００６７】
このため、チューナ制御部４の変更決定部４０１は、まず、動作パラメータを変更する第１及び第２の回路部品群を決定する。具体的には、第１及び第２の回路部品群はＲＦアンプ部２１、ミキサ部２２、ＶＣＯ・ＰＬＬ部２３、フィルタ部２４及びＩＦアンプ部２５からそれぞれ１つずつ選択される。次に、選択した２つの回路部品群における動作パラメータを変更する際の変更量を決定する。例えば、ＲＦアンプ部２１及びＶＣＯ・ＰＬＬ部２３の全体の消費電力を変更前と比べて１０％低下させる等と決定する。
【００６８】
さらに、変更決定部４０１は、選択した２つの回路部品群における動作パラメータを変更するタイミングを互いに時間インターリーブ長以上時間的に離隔するように決定する。例えば、これらの２つの回路部品群における動作パラメータの変更タイミングを、シンボル７１ｂに誤り８１ｂを発生させるような一方の回路部品群における変更のタイミングＴ１と、シンボル７２ｂに誤り８２ｂを発生させるような他方の回路部品群における変更のタイミングＴ２とに決定する。図６（ｂ）に示されているように、タイミングＴ１及びＴ２は互いに時間インターリーブ長Ｌｉ以上時間的に離隔している。
【００６９】
なお、タイミングＴ１及びＴ２のそれぞれは、シンボル７１ｂ及びシンボル７２ｂの先端に位置するように設定されている。つまり、変更決定部４０１は、動作パラメータの変更タイミングがシンボルの先端となるようにタイミングを決定する。これによって、動作パラメータの変更によって発生する誤りが影響を及ぼすシンボルの数が最小限に抑えられる。
【００７０】
そして、チューナ制御部４の動作パラメータ変更部４０２は、変更決定部４０１が決定した２つの回路部品群における動作パラメータを、変更決定部４０１が決定したタイミングで、変更決定部４０１が決定した変更量だけ変更する。例えば、上記のように、ＲＦアンプ部２１及びＶＣＯ・ＰＬＬ部２３の消費電力をそれぞれタイミングＴ１及びＴ２で１０％だけ低下させる。なお、時間インターリーブ長は、復調器３から送られるＴＭＣＣ情報とモード情報から導出される。つまり、ＴＭＣＣ情報には、時間インターリーブ長の信号が有するシンボル数及びガードインターバル長に関する情報が含まれており、さらにモード情報から有効シンボル長が取得される。そして、これらシンボル数及び有効シンボル長、ガードインターバル長から時間インターリーブ長が導出される。
【００７１】
これによって、デインターリーブ処理後の信号Ｓｄにおいて誤りが分散された範囲が重ならないようになり、誤りが時間的に集中せず、信号Ｓｉに含まれる情報の信頼性が向上する。
【００７２】
なお、ＲＦアンプ部２１、ミキサ部２２、ＶＣＯ・ＰＬＬ部２３、フィルタ部２４及びＩＦアンプ部２５はトランジスタに等価な回路等を含む複数の回路部品、つまり回路部品群から構成されている。変更決定部４０１が決定する動作パラメータの変更の対象はＲＦアンプ部２１等を構成する各回路部品群全体を単位とする場合もあるし、回路部品群のうちの一部の回路部品を対象とする場合もある。例えば、ＲＦアンプ部２１における動作パラメータの変更はＲＦアンプ部２１全体に供給される電力を低下させる一方で、ＶＣＯ・ＰＬＬ部２３における動作パラメータの変更はＶＣＯ・ＰＬＬ部２３に含まれる一部の回路からなる周波数発生回路を対象とする等の場合などである。このように、変更決定部４０１が決定する動作パラメータの２つの回路部品群において回路部品群に含まれる回路部品の数が異なる場合もある。
【００７３】
また、上記においては動作パラメータの変更によって信号Ｓｉに誤りが発生する場合が想定されている。しかし、変更決定部４０１による上記のような動作パラメータの変更タイミング等の決定は、動作パラメータの変更によって誤りが発生するか否かを問わず行われる。これによって、誤りが発生するか否かの判断を要さず、常に誤りが時間的に集中しにくいように動作パラメータの変更がなされる。
【００７４】
［第２の実施形態］
以下は、チューナ制御部４による動作パラメータの変更に係る第２の実施形態についての説明である。図７は、第２の実施形態に係る動作パラメータの変更によって信号Ｓｉに発生する誤り等を示している。なお、図７においては、動作パラメータの変更によって発生する誤り８３は１つのシンボル７３内に収まっている。
【００７５】
変更決定部４０１は、動作パラメータを変更する対象となる第１〜第３の回路部品群を決定する。これらの回路部品群はチューナ２が有するＲＦアンプ部２１、ミキサ部２２、ＶＣＯ・ＰＬＬ部２３、フィルタ部２４及びＩＦアンプ部２５、並びに、復調器３が有する各部（図４参照）から選択される。そして、変更決定部４０１は第１〜第３の回路部品群に係る動作パラメータの変更量を決定する。例えば、第１の回路部品群としてＲＦアンプ部２１、動作パラメータの変更量として消費電力の１０％低下等である。
【００７６】
ところで、上記の通り、動作パラメータの変更によって信号Ｓｉに誤りが発生する場合がある。図７の曲線９３ａは、動作パラメータの変更によってデインターリーブ前の信号Ｓｉに含まれることになる誤りの量を示しており、動作パラメータの変更によって発生した誤り８３を含んでいる。このような誤りによって信号Ｓｉに含まれる情報の信頼性が低下するのを防ぐため、本実施形態においては以下のように第１〜第３の回路部品群及び変更タイミングが決定される。
【００７７】
まず、変更決定部４０１は第１の回路部品群を決定する。そして、第２の回路部品群として、動作パラメータを変更することにより信号Ｓｉに含まれる誤りが減少するような回路部品群及び動作パラメータの変更量を決定する。例えば、チューナ２のＲＦアンプ部２１が第２の回路部品群として選択され、ＲＦアンプ部２１やＩＦアンプ２５のゲインが増すように第２の回路部品群に係る動作パラメータの変更量が決定される。これによって信号Ｓｉの電力が増加するため、第１の回路部品群に係る動作パラメータを変更することにより信号Ｓｉに発生するノイズの電力が、信号全体の電力に対して減少する。したがって、このようなノイズによって信号Ｓｄに含まれることになる誤りが相対的に減少する。
【００７８】
あるいは、第２の回路部品群としてＶＣＯ・ＰＬＬ部２３を構成する回路部品群が選択され、ＶＣＯ・ＰＬＬ部２３によるミキシング信号の周波数がより安定するように第２の回路部品群に係る動作パラメータの変更量が決定される。これによって、ＶＣＯ・ＰＬＬ部２３によるミキシング信号の周波数が本来の周波数からずれることによりチューナ２においてＩＦ信号が形成される際に生じる誤りの量が減少する。したがって、第１の回路部品群に係る動作パラメータの変更によって信号Ｓｉに含まれることになる誤りの総量が小さくなる。
【００７９】
一方、上記のようにＲＦアンプ部２１のゲインが増すような動作パラメータの変更やＶＣＯ・ＰＬＬ部２３によるミキシング信号の周波数が安定するような動作パラメータの変更は、これらの動作パラメータの変更に係る回路部品群の消費電力を増加させるものである。
【００８０】
一般に、回路部品に供給する電力（電流や電圧）を増すことによりゲインが増加するなどして、回路内部で発生するノイズが減少したり、より大きな入力の信号を歪ませずに出力することが可能になる。このため第２の回路部品群として、ＲＦアンプ部２１、ミキサ部２２、フィルタ部２４、ＩＦアンプ部２５及びＶＣＯ・ＰＬＬ部２３のいずれかが選択され、動作パラメータとして供給電流あるいは供給電圧などの供給電力の変更量が決定される。これによって選択されたＲＦアンプ部２１、ミキサ部２２、フィルタ部２４、ＩＦアンプ部２５及びＶＣＯ・ＰＬＬ部２３の回路部品自体に発生するノイズが軽減され、チューナ２においてＩＦ信号が形成される際に生じる誤りの量が減少する。あるいは、選択されたＲＦアンプ部２１、ミキサ部２２、フィルタ部２４、ＩＦアンプ部２５及びＶＣＯ・ＰＬＬ部２３の回路部品自体のチューナ２における出力信号に対する入力信号の線形性が向上し、チューナ２においてＩＦ信号Ｓｉが形成される際に生じる誤りの量が減少する。したがって、第１の回路部品群に係る動作パラメータの変更によって信号Ｓｄに含まれることになる誤りが小さくなる。
【００８１】
さらには、回路部品に供給する電力（電流や電圧）を増すこと以外の方法によって、例えば、ノイズ特性や直線性の異なるＲＦアンプ部２１やミキサ部２２などの同じ機能を持つ複数の回路部品群を用意しておき、それらの回路部品群を切り替えて使う、などの構成により歪み特性やノイズ特性を切り替えることにより、チューナ２においてＩＦ信号が形成される際に生じる誤りの量を減少させても良い。この回路群の切り替えにより、第１の回路部品群に係る動作パラメータの変更によって信号Ｓｄに含まれることになる誤りが小さくなる。
【００８２】
そこで、第３の回路部品群及びその動作パラメータの変更量が、第２の回路部品群の動作パラメータが変更前に戻るように決定される。例えば、第３の回路部品群としてＲＦアンプ部２１が選択され、ゲインが増すような動作パラメータの変更が行われる前の状態にＲＦアンプ部２１の状態が戻るように第３の回路部品群に係る動作パラメータの変更量が決定される。これによって、消費電力が増加した状態から増加する以前の状態へと第３の回路部品群の状態が戻るので、消費電力の増加量が最小限に抑えられる。
【００８３】
次に、変更決定部４０１は、第１及び第２の回路部品群に係る動作パラメータの変更タイミングを、第１の回路部品群における変更タイミングより第２の回路部品群における変更タイミングが時間インターリーブ長以上時間的に前になるように決定する。そして、第３の回路部品群に係る動作パラメータの変更タイミングを、第１の回路部品群における変更タイミングより時間インターリーブ長以上時間的に後に決定する。
【００８４】
ところで、本実施形態においては、第１〜第３の回路部品群の中に復調器３における回路部品群が含まれている。復調器３の回路部品群を制御するため、図５（ｂ）に示されているように復調器３には復調器制御部５が構築されている。上記のように変更決定部４０１が決定した第１〜第３の回路部品群、動作パラメータの変更量及び変更タイミングに基づいてチューナ制御部４及び復調器制御部５が第１〜第３の回路部品群の動作パラメータを変更する。
【００８５】
曲線９３ｂは、チューナ制御部４及び復調器制御部５が第１〜第３の回路部品群の動作パラメータを変更することによって時間インターリーブ前の信号Ｓｉに含まれることになる誤りの量を示している。信号Ｓｉには、デジタル復調装置１を構成する回路部品群で発生した誤りが含まれている。このような誤りが、第２の回路部品群に係る動作パラメータの変更８４により一旦減少する。そして、第１の回路部品群に係る動作パラメータの変更８３の後に第３の回路部品群に係る動作パラメータの変更８５が行われ、信号Ｓｉに含まれる誤りの量が第２の回路部品群に係る動作パラメータの変更前の状態に戻る。
【００８６】
一方で、上記のような一連の動作パラメータの変更によって、時間デインターリーブ後の信号Ｓｄに含まれる誤りは以下のようになる。曲線９４はこのような時間デインターリーブ後の誤りの量を示している。まず、タイミングＴ４において、第２の回路部品群に係る動作パラメータの変更８４がなされる。これによって信号Ｓｉに含まれる誤りが上記の通り減少する。ところで、信号Ｓｉにおいて誤りが減少している範囲の信号は時間デインターリーブによって分散される。このため、信号Ｓｄに含まれることになる誤りは、曲線９４に示されているように時間インターリーブ長Ｌｉの期間Ｐ２に亘って徐々に減少する。
【００８７】
次に、タイミングＴ４から時間インターリーブ長Ｌｉ以上時間的に後のタイミングＴ３において、第１の回路部品群に係る動作パラメータが変更される。これによって信号Ｓｉに誤り８３が発生するが、時間デインターリーブ後の信号Ｓｄにおいては時間インターリーブ長Ｌｉの期間Ｐ１に亘って誤り８３が分散される。ところが、タイミングＴ３より時間インターリーブ長Ｌｉ以上時間的に前の動作パラメータの変更８４により、タイミングＴ３においては信号Ｓｄにおける誤りが十分に減少している。これによって、変更８４がなされない場合と比べて期間Ｐ１における誤りの総量が小さくなっている。
【００８８】
次に、タイミングＴ３から時間インターリーブ長Ｌｉ以上時間的に後のタイミングＴ５において、第３の回路部品に係る動作パラメータの変更８５がなされる。これによって信号Ｓｉに含まれる誤りの量が、第２の回路部品に係る動作パラメータの変更８４以前に戻る。したがって、上記と同様、誤りの量が増加する影響は分散されるため、信号Ｓｄにおける誤りの量は期間Ｐ３に亘って徐々に増加する。
【００８９】
以上のように、第２の回路部品群に係る動作パラメータの変更により、このような変更を行わない場合と比べて、第１の回路部品に係る動作パラメータの変更によって信号Ｓｉ及びＳｄに含まれる誤りの総量が小さくなるように、第２の回路部品群、その動作パラメータの変更量及び変更タイミングが決定される。
【００９０】
また、第１及び第２の回路部品群に係る動作パラメータの変更タイミングが互いに時間インターリーブ長以上時間的に離隔するようにこれらの変更タイミングが決定される。これによって、第２の回路部品群に係る動作パラメータの変更による誤りの減少の効果が信号Ｓｄにおいて十分表れた後で、第１の回路部品群に係る動作パラメータの変更がなされることになる。
【００９１】
第３の回路部品群に係る動作パラメータの変更によって第２の回路部品群に係る動作パラメータが変更前の状態に戻される。例えば、ＶＣＯ・ＰＬＬ部２３によるミキシング信号の周波数が安定化されている場合には安定化前と比べて回路部品群の消費電力が大きいが、第３の回路部品群に係る動作パラメータの変更によって変更前の状態に戻されることにより消費電力も元の状態に戻される。
【００９２】
また、第１及び第３の回路部品群に係る動作パラメータの変更タイミングが互いに時間インターリーブ長以上時間的に離隔するようにこれらの変更タイミングが決定される。これによって、信号Ｓｄにおいて、第３の回路部品群に係る動作パラメータの変更によって誤りが増加する期間と第１の回路部品群に係る動作パラメータの変更によって発生する誤りが占める期間とが重なり合わない。つまり、第１の回路部品群に係る動作パラメータの変更によって発生する誤りの影響がなくなってから第３の回路部品群に係る動作パラメータの変更によって誤りが増加する。
【００９３】
なお、本実施形態においても、変更決定部４０１は、動作パラメータの変更タイミングがシンボルの先端となるようにタイミングを決定する。これによって、動作パラメータの変更によって発生する誤りが影響を及ぼすシンボルの数が最小限に抑えられる。
【００９４】
［第３の実施形態］
以下は、チューナ制御部４による動作パラメータの変更に係る第３の実施形態についての説明である。図８は、第３の実施形態に係る動作パラメータの変更によって信号Ｓｉに発生する誤り等を示している。図８においては、動作パラメータの変更によって発生する誤り１８１が、２つのシンボル１７１及び１７２に跨っている。また、図８において曲線１９１及び１９３は時間デインターリーブ前の信号Ｓｉに含まれる誤りを示し、曲線１９２及び曲線１９４は時間デインターリーブ後の信号Ｓｄに含まれる誤りを示している。なお、本実施形態の構成は上記２つの実施形態と類似しているので、下記においては上記２つの実施形態との相違点のみが説明される。
【００９５】
図８の誤り１８１のように複数のシンボルに跨って誤りが発生している場合には、時間デインターリーブ後には時間インターリーブ長Ｌｉを超えて誤りが分散される。誤り１８１は２つのシンボルに跨って発生しており、この場合には、時間インターリーブ長より１シンボル分長い期間Ｐ４に亘って誤りが分散される。このため、上記の第１の実施形態のように２つの回路部品群に係る動作パラメータの変更が行われる場合には、図８（ａ）に示されているように、第１及び第２の回路部品群に係る動作パラメータの変更タイミングＴ６及びＴ７は互いに時間インターリーブ長より１シンボル分以上長く時間的に離隔するように決定される。
【００９６】
また、上記の第２の実施形態のように前もって誤りを減少させるような動作パラメータの変更が行われる場合には、図８（ｂ）に示されているように変更タイミングＴ８、Ｔ９及びＴ１０が決定される。つまり、誤りを減少させるような第２の回路部品群に係る動作パラメータの変更１８４のタイミングＴ９と第１の回路部品群に係る動作パラメータの変更タイミングＴ８との間隔が時間インターリーブ長より１シンボル分以上長くなるように、Ｔ８及びＴ９が決定される。そして、第１の回路部品群に係る動作パラメータの変更タイミングＴ８と第２の回路部品群の動作パラメータを元に戻すような第３の回路部品群に係る動作パラメータの変更１８５のＴ１０との間隔が時間インターリーブ長より１シンボル分以上長くなるように、変更タイミングＴ８及びＴ１０が決定される。
【００９７】
なお、動作パラメータの変更によって発生する誤りが３つ以上のシンボルに跨る場合には、時間デインターリーブによってこのような誤りが分散される範囲に応じて動作パラメータの変更タイミングが決定される。動作パラメータの変更によっていくつのシンボルに跨る誤りが発生するかをチューナ制御部４が判断し、誤りが跨るシンボル数に応じて動作パラメータの変更タイミングを決定するような構成をデジタル復調装置１が有していてもよい。
【００９８】
＜変形例＞
以上、本発明の好適な実施の形態について説明したが、本発明は上述の実施の形態に限られるものではなく、特許請求の範囲に記載した限りにおいて様々な変更が可能なものである。
【００９９】
例えば、上記の実施形態においては時間デインターリーブによって誤りが分散される場合が考察されていたが、ブロックデインターリーブによって誤りが分散される場合に本発明が適用されてもよい。このような場合においても、ブロックデインターリーブによって誤りが分散される範囲が互いに重なり合わないように動作パラメータの各変更タイミングが決定されるような構成をデジタル復調装置１が有していればよい。ブロックデインターリーブにおいては、時間デインターリーブとは異なり、信号Ｓｒを仕切る複数の固定領域が設定されており、これらの固定領域に含まれるシンボルの誤りはその固定領域内に分散される。したがって、動作パラメータの変更が各固定領域に１回以下であれば各動作パラメータの変更による誤りが重なり合うことがない。
【０１００】
また、上記の実施形態において復調器制御部５は復調器３内に構築されていたが、チューナ２及び復調器３以外の部分に構築されていてもよい。または、チューナ２及び復調器３以外の部分にチューナ制御部４及び復調器制御部５の両方の機能を有する制御部が構築されており、このような制御部がチューナ２や復調器３の両方の制御を行ってもよい。
【図面の簡単な説明】
【０１０１】
【図１】本発明の一実施形態であるデジタル復調装置の全体の概略構成を示すブロック図及びデジタル復調装置を有する携帯情報端末の概略図である。
【図２】図１に示されるチューナの構成を示すブロック図である。
【図３】図１に示されるチューナが受信する信号に施されるインターリーブ及びデインターリーブを示す図である。
【図４】図１に示される復調器の構成を示すブロック図である。
【図５】図１に示されるチューナ及び復調器が有するチューナ制御部及び復調器制御部の構成を示すブロック図である。
【図６】本発明の一実施形態に係る図１のチューナ及び復調器に含まれる２つの回路部品群における動作パラメータの変更が行われた場合に信号Ｓｉあるいは信号Ｓｄが含む誤りを示す図である。
【図７】本発明の別の実施形態に係る図１のチューナ及び復調器に含まれる３つの回路部品群における動作パラメータの変更が行われた場合に信号Ｓｉあるいは信号Ｓｄが含む誤りを示す図である。
【図８】図６及び図７に示されたチューナ及び復調器に含まれる回路部品群における動作パラメータの変更とは別の実施形態に係る動作パラメータの変更が行われた場合に信号Ｓｉあるいは信号Ｓｄが含む誤りを示す図である。
【符号の説明】
【０１０２】
Ｌｉ    時間インターリーブ長
Ｓｂ    シンボル
Ｓｒ、Ｓｉ、Ｓｄ  信号
１      デジタル復調装置
２      チューナ
３      復調器
４      チューナ制御部
５      復調器制御部
２１    ＲＦアンプ部
２２    ミキサ部
２３    ＶＣＯ・ＰＬＬ部
２４    フィルタ部
２５    ＩＦアンプ部
３２    ＡＦＣ・シンボル同期部
３６    誤り訂正部
４１    デインターリーブ部
５２    時間デインターリーブ部
４０１  変更決定部
４０２  動作パラメータ変更部
【図１】
2007142919.tif 000003
【図２】
2007142919.tif 000004
【図３】
2007142919.tif 000005
【図４】
2007142919.tif 000006
【図５】
2007142919.tif 000007
【図６】
2007142919.tif 000008
【図７】
2007142919.tif 000009
【図８】
2007142919.tif 000010